(57)【要約】  本発明はノードと数多くの移動局（ＭＳ）との間での高速パケットデータアクセス（ＨＳＤＰＡ）が、全ての移動局（ＭＳ）のための高速物理ダウンリンク共有チャネル（ＨＳ−ＰＤＳＣＨ）と各移動局（ＭＳ）当りの１つの関連専用チャネル（Ａ−ＤＰＣＨ）とにより確立される無線移動体システムにおける改良された輻輳制御の方法に関するものである。この方法は、輻輳がある場合には、複数の移動局（ＭＳ）によりまだなおダウンロードされるダウンロードデータ量を検出する工程と、前記まだなおダウンロードされるダウンロードデータ量に基づいて、所定の閾値を超えるデータ量がある１つ以上の第１の移動局（ＭＳ）についての関連専用チャネル（Ａ−ＤＰＣＨ）を解放する工程とを有する。
2008520126.tif 000002
【特許請求の範囲】
【請求項１】
高速パケットデータアクセス（ＨＳＤＰＡ）がノードと数多くの移動局（ＭＳ）との間で、全ての移動局（ＭＳ）のための高速物理ダウンリンク共有チャネル（ＨＳ−ＰＤＳＣＨ）と各移動局（ＭＳ）当りの１つの関連専用チャネル（Ａ−ＤＰＣＨ）とにより確立される無線移動体システムにおける改良された輻輳制御の方法であって、
輻輳がある場合には、制御機器が前記複数の移動局（ＭＳ）によりまだなおダウンロードされるダウンロードデータ量を検出し、
前記まだなおダウンロードされるダウンロードデータ量に基づいて、前記制御機器は所定の閾値を超えるデータ量がある１つ以上の第１の移動局（ＭＳ）についての前記関連専用チャネル（Ａ−ＤＰＣＨ）を解放することを特徴とする方法。
【請求項２】
前記閾値のレベルは、前記第１の移動局（ＭＳ）と同じ高速物理ダウンリンク共有チャネル（ＨＳ−ＰＤＳＣＨ）を用いて１つ以上の第２の移動局（ＭＳ）によりダウンロードされるダウンロードデータ量であることを特徴とする請求項１に記載の方法。
【請求項３】
前記閾値のレベルは、プリセットされた値であることを特徴とする請求項１に記載の方法。
【請求項４】
前記閾値のレベルは、ＲＬＣにおいて未だに確認応答されないデータのプリセットされた値であることを特徴とする請求項１に記載の方法。
【請求項５】
前記無線移動体システムはＷＣＤＭＡに基づくシステムであり、前記ノードは前記制御機器を有するＲＮＣであることを特徴とする請求項１乃至４のいずれか１項に記載の方法。
【請求項６】
ノードと数多くの移動局（ＭＳ）との間での高速パケットデータアクセス（ＨＳＤＰＡ）が、全ての移動局（ＭＳ）のための高速物理ダウンリンク共有チャネル（ＨＳ−ＰＤＳＣＨ）と各移動局（ＭＳ）当りのための１つの関連専用チャネル（Ａ−ＤＰＣＨ）とにより確立される無線移動体システムにおける改良された輻輳制御のための制御機器であって、
前記制御機器は、輻輳がある場合には、前記複数の移動局（ＭＳ）各々によりまだなおダウンロードされるダウンロードデータ量を検出するよう構成され、
前記制御機器は、前記まだなおダウンロードされるダウンロードデータ量に基づいて、所定の閾値を超えるデータ量がある１つ以上の第１の移動局（ＭＳ）についての前記関連専用チャネル（Ａ−ＤＰＣＨ）を解放するよう構成されていることを特徴とする制御機器。
【請求項７】
前記閾値のレベルは、前記第１の移動局（ＭＳ）と同じ高速物理ダウンリンク共有チャネル（ＨＳ−ＰＤＳＣＨ）を用いて１つ以上の第２の移動局（ＭＳ）によりダウンロードされるダウンロードデータ量であることを特徴とする請求項６に記載の制御機器。
【請求項８】
前記閾値のレベルは、プリセットされた値であることを特徴とする請求項６に記載の制御機器。
【請求項９】
前記閾値のレベルは、ＲＬＣにおいて未だに確認応答されないデータのプリセットされた値であることを特徴とする請求項６に記載の制御機器。
【請求項１０】
前記無線移動体システムはＷＣＤＭＡに基づくシステムであり、前記ノードはＲＮＣであることを特徴とする請求項６乃至９のいずれか１項に記載の制御機器。
【発明の詳細な説明】
【技術分野】
【０００１】
本発明は、無線移動体システムにおける改良された輻輳制御の方法とその方法を実行する制御機器に関する。この方法は、高速パケットデータアクセスがノードと数多くの移動局との間で、全ての移動局（ＭＳ）に対する高速物理ダウンリンク共有チャネルと各移動局当りの１つの関連専用チャネル（Ａ−ＤＰＣＨ）とにより確立される無線移動体システムにおいて用いられる。
【背景技術】
【０００２】
略語
３ＧＰＰ          第３世代パートナーシッププロジェクト（標準化機関）
Ａ−ＤＰＣＨ      関連専用物理チャネル
ＤＬ              ダウンリンク
ＦＤＤ            周波数分割複信
ＧＧＳＮ          ゲートウェイＧＰＲＳサポートノード
ＧＰＲＳ          汎用パケット無線サービス
ＧＳＭ            汎欧州デジタル移動電話方式
ＨＳＤＰＡ        高速ダウンリンクパケットアクセス
ＨＳ−ＰＤＳＣＨ  高速物理ダウンリンク共有チャネル
ＬＬＣ            論理リンク制御
ＭＡＣ            媒体アクセスコード
ＭＳ              移動局
ＰＤＰ            パケットデータ制御
ＲＬＣ            無線リンク制御
ＲＮＣ            無線ネットワーク制御装置
ＳＧＳＮ          サービングＧＰＲＳサポートノード
ＳＮＤＣＰ        サブネットワーク依存コンバージェンスプロトコル
ＴＣＰ            伝送制御プロトコル
ＴＤＤ            時分割複信
ＵＬ              アップリンク
ＵＭＴＳ          全球規模移動電話システム
ＵＴＲＡＮ        ＵＭＴＳ陸上無線アクセスネットワーク
ＷＣＤＭＡ        広帯域符号分割多元接続
【０００３】
第３世代パートナーシッププロジェクト（３ＧＰＰ）の仕様は、第３世代の移動体電話システムに対する標準である。そのシステムは異なるユーザに対して異なるユーザデータ速度をサポートする。あるユーザに対して用いられる伝送電力は、一定のセルにおける干渉レベル、ユーザデータ速度、チャネル品質、そのセルにおけるデータ伝送の要求品質により決定される。
【０００４】
制御チャネルとトラフィックチャネルとは論理チャネルとして言及される。これらの論理チャネルは物理チャネルへとマップされる。
【０００５】
物理チャネルは、無線放送周波数、アナログ移動体システムにおける（複信分離を含む）周波数ペア、或は、デジタル移動体システムにおける周波数ペアでのタイムスロットであり得る。
【０００６】
物理チャネルは、例えば、ＴＤＭＡシステムでは特定の周波数チャネルにおけるタイムスロットであっても良いし、また、トラフィックチャネル（しばしば、ＴＣＨと略記される）のような論理チャネルや、マルチフレーム構造の種々の制御チャネルのような幾つかの論理チャネルの搬送波であると言われても良い。
【０００７】
ＴＤＭＡに基づくデジタルシステムでは、マッピング処理はタイムスロットと周波数がトラフィックバーストに割当てられることを意味する。
【０００８】
トラフィックチャネルは音声或は（インターネットトラフィックのような）データを移動局と基地局との間で搬送する。そのチャネルは呼は発生する毎に割当てられる。
【０００９】
通常、タイムスロットは１つの呼だけのために用いられるが（フルレート）、タイムスロット当り２つの呼が割当てられる（ハーフレート）代替策もまた規定されている。
【００１０】
全ての現在の移動体システムは多元接続に基づくものであり、それは全てのユーザがその媒体に対して同時にアクセスをもつことを意味している。これは、複数の移動体が全て同時に通話するという状況を防止するために数多くの規則を必要とする。共通の資源である媒体は、全てのユーザの必要を満たさねばならない。
【００１１】
トラフィックチャネルは制御チャネルシグナリングを介して割当てられる。
【００１２】
セルラシステムにおける各セルは個々の媒体と見なすことができる。なぜなら、そのセルを離れる移動体はそのセルの基地局との接続を失うからである。しかしながら、そのセルにおける全ての移動体は同じ無線資源、即ち、そのセルに割当てられた周波数スペクトラムの一部を利用する。
【００１３】
多元接続を用いるチャネル多重化のための１つの技術はＣＤＭＡ（符号分割多元接続）である。ＣＤＭＡシステムは全周波数帯域にわたって送受信が可能であり、“３次元”が用いられて複数のトラフィックチャネルを分離、即ち、符号化を行う。
【００１４】
ＣＤＭＡ技術の典型的な特徴は、ネットワークにおける全ての移動局にユニークなコード、即ち、チップシーケンスが割当てられる点にある。移動局がビットストリームの送信を望むとき、それは、各ビットを（複数の１に対して）コード或はそのコードの補数（複数の０に対して）で置換する。その結果、数多くのエアインタフェースのビット（“チップ”として言及される）は、用いられる拡散係数に依存して、各ペイロードビットに対して送信される。ＴＤＭＡで用いられるのと同じ変調方法が用いられるとするなら、要求されるバンド幅はそれに応じてより大きくなるであろう。音声チャネルに対して数１０ＫＨｚを用いる代わりに、そのチップは約３．８４ＭＨｚにわたって変調されるであろう。これが、この技術がスペクトラム拡散技術としても言及される理由である。
【００１５】
例えば、移動体電話システムは、高速物理ダウンリンク共有チャネル（ＨＳ−ＰＤＳＣＨ）と呼ばれる物理チャネルのセットへとマップされる高速ダウンリンク共有チャネル（ＨＳ−ＤＳＣＨ）と呼ばれるダウンリンク転送チャネルをもつＷＣＤＭＡであるかもしれない。ＨＳ−ＤＳＣＨは、インタラクティブ、バックグラウンド、そして、ある程度まではダウンリンク方向にストリーミング無線アクセスベアラ（ＲＡＢ）サービスのための強化されたサポートを提供する。
【００１６】
（例えば、３ＧＰＰリリース５に従う）ＨＳＤＰＡをサポートするＷＣＤＭＡシステムにおいて、ＨＳ−ＰＤＳＣＨ（高速物理ダウンリンク共有チャネル）チャネルへのアクセスを行う各ユーザはまた、例えば、制御情報を通信するために用いられる関連専用物理チャネルＡ−ＤＰＣＨをもたねばならない。
【００１７】
過負荷（輻輳）である場合の典型的な動作は、無線ネットワーク制御装置（ＲＮＣ）があるチャネルを解放して、不足している特定の資源、例えば、ＤＬ電力、ＵＬ干渉、ＤＬコードなどの負荷を軽減することから成り立っている。また、特に、全てのインタラクティブ／バックグラウンドトラフィックがＨＳ−ＰＤＳＣＨで搬送され、会話型のトラフィック（音声、ビデオなど）における急激な増加を処理するためにより多くのＤＬコードを利用可能にさせる必要があるなら、或は、Ａ−ＤＰＣＨがかなりの量の電力を消費することが生じるなら、複数のＡ−ＤＰＣＨを解放することもできる。
【発明の開示】
【発明が解決しようとする課題】
【００１８】
現在の輻輳制御はランダムにある移動局に対して解放されることになるＡ−ＤＰＣＨを選択し、これにより、ランダムに選択された移動局についてのＨＳ−ＰＤＳＣＨにおけるダウンリンク情報の流れを禁止する。これは、システムにたった今入ってきたユーザのためにダウンロードがほとんどなされたユーザがシステムから締め出されてしまうという状況をつくりだしてしまう。エンドユーザとしては、これは非常に迷惑なことである。特に、そのアプリケーションがダウンロードの進行についてある種の進行状況の表示を与えているなら、迷惑なことである（ダウンロードが９５％完了していることをエンドユーザが確認しているときに、それがインタラプトされてしまうというのか１つの場合であるかもしれない）。
【００１９】
それ故に、よりユーザを喜ばせることができる改善されたデータ伝送フローを備えたＨＳＤＰＡを基本とするシステムなどにおける輻輳制御を改善する必要がある。
【００２０】
本発明は改善された輻輳制御の方法とその方法を実行するように構成された制御機器とにより上述の問題に対する救済策を与えることを意図したものである。
【課題を解決するための手段】
【００２１】
その方法は、高速パケットデータアクセス（ＨＳＤＰＡ）が、全ての移動局（ＭＳ）のための高速物理ダウンリンク共有チャネル（ＨＳ−ＰＤＳＣＨ）と各移動局（ＭＳ）当りの１つの関連専用チャネル（Ａ−ＤＰＣＨ）とにより、ノードと数多くの移動局（ＭＳ）との間で確立される無線移動体システムにおいて用いられる。上述のＨＳＤＰＡのセットアップはノードにより実行されても良い。
【００２２】
その方法は、
輻輳がある場合には、制御機器が前記複数の移動局（ＭＳ）によりまだなおダウンロードされるダウンロードデータ量を検出する工程と、
前記まだなおダウンロードされるダウンロードデータ量に基づいて、前記制御機器は所定の閾値を超えるデータ量がある１つ以上の第１の移動局（ＭＳ）についての前記関連専用チャネル（Ａ−ＤＰＣＨ）を解放する工程とを有する。
【００２３】
本発明の利点は、その状況に係わりなくランダムに破棄されてしまう従来技術のようなものの代わりに、ダウンロードをほどんど完了している移動局がそのダウンロードを完了されることが許される点にある。
【００２４】
本発明の一実施例では、その閾値のレベルは、前記第１の移動局（ＭＳ）と同じ高速物理ダウンリンク共有チャネル（ＨＳ−ＰＤＳＣＨ）を用いて１つ以上の第２の移動局（ＭＳ）によりダウンロードされるダウンロードデータ量である。この実施例では、その閾値は全ての移動局を比較することにより、そして、少なくとも別の移動局よりもより多くのダウンロードされるデータをもつ１つ以上のユーザユニットについてのＡ−ＤＰＣＨを解放するために設定される。この比較は、ダウンロードされる最も多くのデータを有する移動局を最上位とし、ダウンロードされるデータが最も少ない移動局を最下位とする階層を与えることができる。ここで、その閾値は、ダウンロードされるデータが２番目に多い移動局、即ち、その階層で２つはない移動局において常に設定される浮動する値でも良い。この利点は、依然としてダウンロードするためのデータを最も多くもつ端末が１回目のラウンドで破棄され、次のラウンドの間に、もしより多くの資源が解放されねばならないなら、順番的には次の端末が破棄され、一方、他の全ての端末はダウンロードを続行し、ダウンロードをするためのデータが最も少ない端末はそのダウンロードを完了する機会が与えられるという点にある。その閾値レベルはまた、その階層で特定の移動局を示すレベルにセットされても良く、その場合、その移動局よりも階層上、上位にある全ての移動局は関連するＡ−ＤＰＣＨを解放しなければならないかもしれない。
【００２５】
本発明の一実施例では、その閾値のレベルは、プリセットされた値であり、例えば、意図された量の一定割合をこえるダウンロードを行った全ての移動局はダウンロードを続行しても良いが、他の移動局は関連するＡ−ＤＰＣＨを解放しなければならないかもしれない。
【００２６】
その無線移動体システムはＷＣＤＭＡに基づくシステムであり、前記ノードはＲＮＣであっても良い。しかしながら、本発明はダウンリンク共有チャネルと全システム資源の量を、例えば、制御情報のために常に消費する関連専用チャネルとを用いた全てのシステムにおいて適用可能である。従来技術の説明で言及したように、ＨＳ−ＰＤＳＣＨとＡ−ＤＰＣＨはＷＣＤＭＡに言及したものであるが、本発明は、例えば、ＣＤＭＡ２０００  １Ｘ，ＥＶＤＯ（EVolution Data Only）とＥＶＤＶ（EVolution Data/Voice）において適用可能である。この場合、ＨＳ−ＰＤＳＣＨはＦ−ＰＤＣＨ（フォワードリンク・パケットデータチャネル）を意味し、対応するＡ−ＤＰＣＨはＦ−ＦＣＨ（フォワードリンク・ファンダメンタルチャネル）を意味する。ＣＤＭＡ２０００は３ＧＧＰ２に関係しており、ＥＶＤＯとＥＶＤＶは３ＧＰＰ３を基本とするＷＣＤＭＡシステムにおけるＨＳＤＰＡシステムに対応している。本発明は、ＷＣＤＭＡやＣＤＭＡ２０００と類似のチャネル構成を有する、ＦＤＭＡとＴＤＭＡとの内、少なくともいずれかを基本とする他のいずれかのシステムにおいても用いられても良い。
【００２７】
一実施例では、その閾値のレベルは、ＲＮＣにおけるＲＬＣにおいて未だに確認応答されないデータのプリセットされた値である。未だに確認応答されないデータは、ＲＬＣバッファの中を見ることにより検出されるかもしれない。ここでは、少量の未だに確認応答されないデータをもつユーザを見出すことが可能である。その閾値はバイトで定義されても良い。この情報を用いる最も簡単な方法は、この閾値より少ない残存データをもつ移動局がＡ−ＤＰＣＨを解放するための第１回目のラウンドでは少なくとも保護されるように閾値を定義することであろう。
【００２８】
ＲＮＣにプロキシがあるなら、このプロキシからの情報は、どのＡ−ＤＰＣＨが解放されるのかについての決定を行う制御機器においてＲＮＣ内部インタフェースにより無線資源管理機能へと受け渡される。その無線資源管理機能はＲＮＣの一部であることが好ましい。
【００２９】
もちろん、この判断基準と、個々の無線リンクの電力利用の検出のような他の判断基準とを組み合わせることも可能である。未だに確認応答されないデータはまた、異なる移動局間での上述の比較のために用いられても良い。
【００３０】
本発明の基本的な思想は従って、伝送待ちのデータが非常に少ないユーザを見出し／検出することにあり、その益は、ＷＣＤＭＡやＨＳＤＰＡをサポートするネットワークやＨＳＤＰＡに類似のネットワークを用いる他の類似システムにおいて無線データサービスを受けるエンドユーザが経験する改善にある。
【００３１】
原理上、同じ機構が専用チャネルにおけるインタラクティブ或はバックグラウンドトラフィックに対しても同様に考慮できるが、その利得はより小さいものと想定される。
【００３２】
本発明は、ノードと数多くの移動局（ＭＳ）との間での高速パケットデータアクセス（ＨＳＤＰＡ）が、全ての移動局（ＭＳ）のための高速物理ダウンリンク共有チャネル（ＨＳ−ＰＤＳＣＨ）と各移動局（ＭＳ）当りのための１つの関連専用チャネル（Ａ−ＤＰＣＨ）とにより確立される無線移動体システムにおける改良された輻輳制御のための制御機器にも関係しており、
前記制御機器は、輻輳がある場合には、前記複数の移動局（ＭＳ）各々によりまだなおダウンロードされるダウンロードデータ量を検出するよう構成され、
前記制御機器は、前記まだなおダウンロードされるダウンロードデータ量に基づいて、所定の閾値を超えるデータ量がある１つ以上の第１の移動局（ＭＳ）についての関連専用チャネル（Ａ−ＤＰＣＨ）を解放するよう構成されている。
【００３３】
前記の方法についての上述した全ての利点はまた、この制御機器にも有効である。
【００３４】
この制御機器はＲＮＣの一部であるこが好ましいが、上述した方法の全ての工程を実行するように構成されると良い。
【００３５】
以下、複数の図面と関連させて本発明について詳細に説明する。
【発明を実施するための最良の形態】
【００３６】
図１は本発明の一実施例に従うＧＰＲＳ標準におけるＴＣＰ／ＩＰを基本としたネットワークを模式的に示している。そのネットワークはランドラインを基本としたネットワークと無線ネットワークとを有している。ランドラインを基本としたネットワークは、サーバ（ＳＥＲＶＥＲ）の形をしたホストと、ＧＧＳＮと、ＳＧＳＮとを有している。その無線ネットワークは、ＲＮＣと、ノードＢと、ＭＳの形をしたクライアントとを有しており、それら全てはＷＣＤＭＡに基づいている。また、図２も参照されたい。ＧＧＳＮとＳＧＳＮとの間のインタフェースはＧｎと呼ばれ、ＳＧＳＮとＲＮＣとの間のインタフェースはＩｕと呼ばれる。ＭＳと第２の無線ネットワークにおけるノードＢとの間のインタフェースはＵVと呼ばれる。ＧＧＳＮとサーバ（ＳＥＲＶＥＲ）との間のインタフェースはＧiと呼ばれる。
【００３７】
図１について検討する際、図２との相互参照がなされる。図２はＳＧＳＮに対するＧｎインタフェースによるＧＧＳＮと、ＭＳに対するＩｕインタフェースによるＳＧＳＮの異なるプロトコルスタックを模式的に示している。図３では、ＵＴＲＡＮは図１におけるＲＮＣとノードＢとに言及している。
【００３８】
ＧＧＳＮはＧＰＲＳバックボーンネットワークと外部のパケットデータネットワーク（無線ネットワークとＩＰネットワーク）との間のインタフェースとして動作するゲートウェイＧＰＲＳサポートノードに言及している。それは、ＳＧＳＮから到来するＧＰＲＳパケットを適切なパケットデータプロトコル（ＰＤＰ）のフォーマット（例えば、ＩＰ）に変換し、それらを対応するパケットデータネットワークで送信する。別の方向には、到来するデータパケットのＰＤＰアドレスが宛先ユーザのＧＳＭアドレスへと変換される。再アドレスされたパケットは担当するＳＧＳＮへと送信される。このため、ＧＧＳＮはユーザの現在のＳＧＳＮアドレスと自分のプロフィールをそのロケーションレジスタに格納する。ＧＧＳＮはまた、外部システムに対する認証と課金の機能とを実行するが、ＳＧＳＮが認証を実行しても良い。
【００３９】
ＳＧＳＮの機能は無線ネットワークとランドラインを基本としたネットワークとの間のインタフェースにおけるルータとしてのようであり、上述したものである。
【００４０】
ＷＣＤＭＡ技術はＵＴＲＡＮエアインタフェースのために用いられる。ＵＴＭＳ  ＷＣＤＭＡは直接拡散ＣＤＭＡシステムである、ここではユーザデータはＷＣＤＭＡ拡散符号から導出された準乱数ビットで乗算される。ＵＭＴＳにおいては、チャネライゼーションに加えて、符号が同期とスクランブリングのために用いられる。ＷＣＤＭＡは２つの基本的な動作モードがあり、それは、周波数分割複信（ＦＤＤ）と時分割複信（ＴＤＤ）とである。
【００４１】
ノードＢの機能は、
・エアインタフェース送信／受信
・変調／復調
・ＣＤＭＡ物理チャネル符号化
・マイクロダイバーシチ
・エラー処理
・クローズドループ電力制御
である。
【００４２】
ＲＮＣの機能は、
・無線資源制御
・許可制御
・チャネル割当て
・電力制御設定
・ハンドオーバ制御
・マクロダイバーシチ
・暗号化
・分割／再組立て
・同報シグナリング
・オープンループ電力制御
である。
【００４３】
ＵＭＴＳ  ＧＰＲＳのためのＲＮＣにおける無線インタフェースＩｕにおいて、チャネルトラフィックの数が制限されているために、無線エアインタフェースＩｕにおいて集中化が実行される。
【００４４】
本発明は輻輳制御の方向に関するものであり、専用チャネルＡ−ＤＰＣＨがある特定の移動局のために解放される。これら移動局は設定された閾値レベルを超えるダウンロードするための情報量がある。それらの移動局を見出すために、その閾値レベル以下の移動局の探索により、少なくとも第１ラウンドのソーティングでは解放されることはない移動局が明らかになる。ＲＮＣ（例えば、図２と図３を参照）のＲＬＣバッファを見ることにより、移動局が情報の主要な部分を既にダウンロード完了したとの徴候となる少量の未だ応答確認されていないデータがあり、優先権が与えられ、より大量の未だ応答確認されていないデータがある別の移動局があるなら対応するＡ−ＤＰＣＨを解放することにより破棄されるべきではない移動局を見出すことが可能である。
【００４５】
ＲＮＣにプロキシにあるなら、このプロキシからの情報は無線資源管理機能に対するあるＲＮＣ内部インタフェースにより受け渡しされる。そのプロキシはしばしば、データの中間的なバッファリングによりアプリケーションから無線ネットワークを隠すための手段として提案されている。
【００４６】
図３は未だ確認応答がなされていないデータについてＲＬＣにおけるバッファと時間との関係図を示している。未だ確認応答がなされていないデータ量はダウンロード処理の初めの部分でかなり上昇し、それからゼロに向かって減衰する。図３では、閾値が所定レベルに設定されている。その閾値を超える未だ確認応答がなされていないデータがある全ての移動局ＭＳは、そのユーザのための対応するＡ−ＤＰＣＨをキャンセルすることにより中断させられねばならない。図３に見られるように、ダウンロードをたった今開始した移動局は閾値以下にあるが、その移動局は破棄されないであろう。もちろん、これは望ましい状態ではなく、未だ確認応答がなされていないデータは急速に上昇してゆき、その移動局は閾値レベルを超える移動局の１つにすぐになるであろう。従って、これは対応するＡ−ＤＰＣＨを解放しなければならない。
【図面の簡単な説明】
【００４７】
【図１】本発明の一実施例に従ったＧＰＲＳ標準におけるＴＣＰ／ＩＰを基本としたネットワークを模式的に示す図である。
【図２】ＳＧＳＮに対するＧｎインタフェースによるＧＧＳＮと、ＭＳに対するＩｕインタフェースによるＳＧＳＮの異なるプロトコルスタックを模式的に示す図である。
【図３】バッファと時間との関係を示す図である。
【図１】
2008520126.tif 000003
【図２】
2008520126.tif 000004
【図３】
2008520126.tif 000005
【国際調査報告】
2008520126.tif 000006
2008520126.tif 000007